(57)【要約】【課題】確実な連結状態を容易に得ることができるとともに、その連結状態を目視により確認することができ、連結状態の確認時に患者に痛みを与えることなく、さらに、容易に取り外し作業を行なうことが可能な構造を備える、医療用チューブコネクタを提供することにある。【解決手段】レバー部材１１２を第１スリット１５３に沿って前進させ、さらに、第２スリット１５４に沿って軸周り回転させることで、隔壁１５５の開口部１５６から突出連結領域１１３が突出し、この連結突出管１１３が注射針の胴体部内に挿入されることで、液密的に注射針が医療用チューブコネクタ１００に連結される。【選択図】図４
2007275338.tif 000002
【特許請求の範囲】
【請求項１】
液管路を有する被連結部材(400)の一端側に設けられるフランジ領域(403)に係合し、前記被連結部材(400)に医療用チューブ(180)を連結するための医療用チューブコネクタ(100)であって、
管状の本体部(151)と、
前記本体部(151)の一方端側に設けられ、前記被連結部材の前記フランジ領域が係合可能に嵌め入れられる嵌合領域(158)と、
前記本体部(151)の軸方に沿って摺動可能に収納されるとともに、その内部に流路(114)を有し、前記流路(114)の一方端側に前記チューブが連結され、前記管路の他方端側に前記被連結部材の前記液管路と連結可能な連結領域(113)が設けられるスライド部材(110)と、を備え、
前記スライド部材(110)が前記嵌合領域(158)から遠ざかる第１位置にスライド移動することで、前記連結領域(113)の前記被連結部材の前記液管路への非連結状態が選択され、
前記スライド部材(110)が前記嵌合領域(158)に近づく第２位置にスライド移動することで、前記連結領域(113)の前記被連結部材の前記液管路への連結状態が選択され、
前記本体部(151)と前記スライド部材(110)との間には、前記連結状態を維持させるための連結状態維持機構(112,153,154)が設けられる、医療用チューブコネクタ。
【請求項２】
前記連結状態維持機構は、
前記本体部(151)の外周面において、軸方向に延びる第１スリット(153)と、
前記第１スリット(153)から分岐し、前記本体部(151)の外周面において、円周方向に沿って徐々に前記嵌合領域(158)側に向かう第２スリット(154)と、
前記スライド部材(110)において、前記本体部(151)の内部に収容される円柱状摺動部材(111)と、この円柱状摺動部材(111)に対して略径方向に延びるとともに、前記第１スリット(153)および前記第２スリット(154)を通過可能なように設けられるレバー部材(112)とを備える、請求項１に記載の医療用チューブコネクタ。
【請求項３】
前記第２スリット(154)に露出する、前記嵌合領域(158)とは反対側の前記本体部(151)の端面には、レバー部材(112)を位置決めするために、円周方向に沿って複数配置される係合凹部溝(154a,154b,154c)が設けられる、請求項２に記載の医療用チューブコネクタ。
【請求項４】
前記流路(114)は、前記スライド部材(110)に設けられる前記レバー部材(112)を通過するように設けられる、請求項２または３に記載の医療用チューブコネクタ。
【請求項５】
前記本体部(151)の内部には、中央に開口部(156)を有する隔壁(155)が設けられ、
前記円柱状摺動部材(111)は、前記嵌合領域(158)側に、前記被連結部材の前記液管路と連結可能な突出連結領域(113)が設けられ、
前記レバー部材(112)が前記第１スリット(153)に位置し、前記スライド部材(110)が前記隔壁(155)から遠ざかる第１位置にスライド移動することで、前記突出連結領域(113)の前記被連結部材の前記液管路への非連結状態が選択され、
前記レバー部材(112)が前記第２スリット(154)に位置し、前記スライド部材(110)が前記隔壁(155)に近づく第２位置にスライド移動することで、前記突出連結領域(113)が前記隔壁(155)の前記開口部(156)から突出し、前記連結領域(113)の前記被連結部材の前記液管路への連結状態が選択される、請求項２から４のいずれかに記載の医療用チューブコネクタ。
【発明の詳細な説明】
【技術分野】
【０００１】
本発明は、医療用チューブコネクタの構造に関するものである。
【背景技術】
【０００２】
近年、人体の機能を検査する装置としてさまざまなものが開発されている。その中の１つに、患者の循環器の機能を診断するための循環器Ｘ線診断装置がある。この循環器Ｘ線診断装置では、Ｘ線診断に必要な処置を施すための器具の１つとして、造影剤を患者に注入するための医療用インジェクタヘッドが装備されている。また、造影剤を患者に注入する場合には、医療用インジェクタヘッド側に接続されるチューブ、および、患者側に接続されるカテーテルチューブが用いられるが、患者への造影剤の注入、生理食塩水の注入等においては、患者の血管に注射針が導入され、この注射針にカテーテルチューブが連結されることとなる。
【０００３】
図１１は、患者の手首６００の血管に注射針４００が導入され、この注射針４００にカテーテルチューブ５０４が連結された状態を示す模式図である。カテーテルチューブ５０４の先端部には、医療用チューブコネクタ５００が取り付けられており、この医療用チューブコネクタ５００と注射針４００とを連結することで、カテーテルチューブ５０４が注射針４００に連結されることとなる。
【０００４】
図１２に、注射針４００と、医療用チューブコネクタ５００との構造を示す。注射針４００は、胴体部４０２と、この胴体部４０２から延びる針部４０１と、胴体部４０２を挟んで、針部４０１とは反対側に設けられ、半径方向に広がるフランジ部４０３とを備えている。一方、医療用チューブコネクタ５００には、カテーテルチューブ５０４が連結される本体部５０１と、本体部５０１から延びる連結突出管５０３と、この連結突出管５０３の外周周囲において、回転可能に設けられその内面に雌ネジを構成するように螺旋突起５０２ａが形成されたロータ５０２が設けられている。
【０００５】
注射針４００の医療用チューブコネクタ５００への連結においては、フランジ部４０３をロータ５０２に当接させながら、ロータ５０２を回転させることで、フランジ部４０３の外周縁が、螺旋突起５０２ａによって規定される雌ネジにより、徐々に内方に螺合し挿入されることで、連結突出管５０３が胴体部４０２内に挿入され、液密的に注射針４００が医療用チューブコネクタ５００に連結されることとなる。
【０００６】
ここで、上記連結動作においては、注射針４００の医療用チューブコネクタ５００への連結において、ロータ５０２を複数回転させる必要があるが、ロータ５０２は比較的小さい形状を有していることから、その作業が比較的煩わしいものとなる。また、確実な連結状態が目視できないため、十分にロータ５０２を回転させなくとも、注射針４００をチューブコネクタ５００に形式的に連結することができるため、液密的に注射針４００が医療用チューブコネクタ５００に連結されずに、造影剤、生理食塩水等がこの連結部から洩れ出るおそれもある。
【０００７】
また、患者にカテーテルチューブ５０４が連結された状態にいて、医療用チューブコネクタ５００に緩みが発生していないかを確認する際には、ロータ５０２を回転させて確認する必要があるが、その場合、注射針４００が左右に振れることとなり、患者に痛みを与えることにもなる。さらに、医療用チューブコネクタ５００を外す際にも、ロータ５０２を回転させる必要があるが、外れることを防止するために、ロータ５０２は強く締めこまれているために、ロータ５０２を回転させる際にも力が必要となり、患者に痛みを与えることとなる。なお、上述したようなロータを採用した医療用チューブコネクタを開示する文献としては、以下に挙げる特許文献１が挙げられる。
【特許文献１】特開２００５−１４３６４７号公報
【発明の開示】
【発明が解決しようとする課題】
【０００８】
したがって、本発明が解決しようとする課題は、連結動作において、その作業が比較的煩わしい点、確実な連結状態が目視できない点、連結状態の確認時に患者に痛みを与える点、および、取り外し作業時においても、その作業が比較的煩わしく、患者に痛みを与える点にある。よって、本願発明の目的は、確実な連結状態を容易に行なうことができるとともに、その連結状態を目視により確認することができ、また、連結状態の確認時に患者に痛みを与えることがなく、さらに、容易に取り外し作業を行なうことが可能な構造を備える、医療用チューブコネクタを提供することにある。
【課題を解決するための手段】
【０００９】
この発明に基づいた医療用チューブコネクタにおいては、液管路を有する被連結部材の一端側に設けられるフランジ領域に係合し、上記被連結部材に医療用チューブを連結するための医療用チューブコネクタであって、管状の本体部と、上記本体部の一方端側に設けられ、上記被連結部材の上記フランジ領域が係合可能に嵌め入れられる嵌合領域と、上記本体部の軸方に沿って摺動可能に収納されるとともに、その内部に流路を有し、上記流路の一方端側に上記チューブが連結され、上記管路の他方端側に上記被連結部材の上記液管路と連結可能な連結領域が設けられるスライド部材とを備えている。
【００１０】
さらに、上記スライド部材が上記嵌合領域から遠ざかる第１位置にスライド移動することで、上記連結領域の上記被連結部材の上記液管路への非連結状態が選択され、上記スライド部材が上記嵌合領域に近づく第２位置にスライド移動することで、上記連結領域の上記被連結部材の上記液管路への連結状態が選択され、上記本体部と上記スライド部材との間には、上記連結状態を維持させるための連結状態維持機構が設けられる。
【発明の効果】
【００１１】
この発明に基づいた医療用チューブコネクタによれば、スライド部材を嵌合領域に近づく第２位置にスライド移動させることで、連結領域の被連結部材の液管路への連結状態が選択されることから、スライド部材を第２位置にスライドさせるという簡易な作業により連結状態が目視できるとともに、確実な連結状態を選択するとともに、目視により確実な連結状態を確認することが可能となる。また、連結状態の確認時においても、スライド部材を第２位置にスライドさせることのみであるため、被連結部材が不必要に振れることがなく、たとえば、被連結部材が患者の血管に導入される注射針であっても、患者に不必要な痛みを与えることがない。
【００１２】
また、本体部とスライド部材との間には、連結領域の被連結部材の液管路への連結状態を維持させるための連結状態維持機構が設けられていることから、確実な連結状態を確保することが可能となる。さらに、取り外しの際には、スライド部材を第２位置から第１位置にスライドさせるという簡易な作業により容易に非連結状態を実現させ、患者に不必要な痛みを与えることがない。
【発明を実施するための最良の形態】
【００１３】
以下、本発明に基づいた各実施の形態における医療用チューブコネクタについて図を参照しながら説明する。なお、各図において同一または相当部分については同一の参照番号を付し、重複する説明は繰り返さないこととする。
【００１４】
（実施の形態１）
以下、図１〜図４を参照して、実施の形態１における医療用チューブコネクタ１００の構造について説明する。なお、図１は、本実施の形態における医療用チューブコネクタ１００の第１の状態における全体斜視図であり、図２は、本実施の形態における医療用チューブコネクタ１００の第１の状態における側面図であり、図３は、本実施の形態における医療用チューブコネクタ１００に採用されるスライド部材１１０の側面図であり、図４は、本実施の形態における医療用チューブコネクタ１００の第２の状態における全体斜視図である。
【００１５】
(筐体１５０）
まず、図１を参照して、本実施の形態における医療用チューブコネクタ１００は、筐体１５０と、この筐体１５０の内部に収容されるスライド部材１１０とを備えている。筐体１５０は、管状の本体部１５１を有し、この本体部１５１の一方端側には、被連結部材としての注射針４００のフランジ領域４０３(図５参照）が係合可能に嵌め入れられる嵌合領域１５８が設けられている。本体部１５１の側部には、横方向に張出す把持部１５２が形成されている。なお、この筐体１５０の最大全長は約３０ｍｍ程度、外径は１５ｍｍ程度である。
【００１６】
本体部１５１の外周面には、その軸方向に延びる第１スリット１５３と、この第１スリット１５３から分岐し、図２に良く表れるように、本体部１５１の外周面において、円周方向に沿って徐々に嵌合領域１５８側に向かう第２スリット１５４とが設けられている。第１スリット１５３の嵌合領域１５８とは反対側の本体部１５１の端部には、スライド部材１１０の本体部１５１からの抜けを防止するための”かえり”として、第１スリット１５３に突出する外れ止め用爪１５９が一対（図４参照）設けられている。第２スリット１５４に露出する、嵌合領域１５８とは反対側の本体部１５１の端面には、円周方向に沿って係合凹部溝１５４ａ，１５４ｂ，１５４ｃが設けられている。この係合凹部溝の数量は、３箇所に限定されるものでなく、適宜選択されるものである。また、本体部１５１の内部には、中央に開口部１５６を有する隔壁１５５が設けられている。一方、第２スリット１５４に露出する、嵌合領域１５８と同一側の本体部１５１の端面には、平らな面からなるガイド面１５４ｄが設けられている。
【００１７】
嵌合領域１５８には、把持部１５２が延びる方向とは反対方向に開口を有するＵ字形状受入れ開口１５７が形成され、また、隔壁１５５との間に、係合溝１５７ａが形成されている。開口１５７に注射針４００の胴体部４０２が受入れられ、係合溝１５７ａにフランジ領域４０３が受入れられる(図５参照）。
【００１８】
（スライド部材１１０）
スライド部材１１０は、図１および図３に示すように、本体部１５１の内部に収容される円柱状摺動部材１１１と、この円柱状摺動部材１１１に対して略径方向に延びるとともに、上記第１スリット１５３および上記第２スリット１５４を通過可能なように設けられるレバー部材１１２とを備えている。
【００１９】
円柱状摺動部材１１１には、嵌合領域１５８側に、注射針４００の液管路を規定する胴体部４０２と連結可能な突出連結領域１１３が設けられている。また、レバー部材１１２は、連結部１１２ａと、テーパ部１１２ｂと、円筒状のグリップ部１１２ｃを備え、連結部１１２ａが、第１スリット１５３および第２スリット１５４を通過可能なように形成されている。
【００２０】
円柱状摺動部材１１１、突出連結領域１１３、および、レバー部材１１２には、それぞれの部材を通過する流路１１４が形成され、レバー部材１１２のグリップ部１１２ｃに、カテーテルチューブ１８０が連結される。
【００２１】
上記構成からなる医療用チューブコネクタ１００において、図１に示す状態においては、レバー部材１１２が第１スリット１５３に位置し、スライド部材１１０が隔壁１５５から遠ざかる第１の位置に位置することで、突出連結領域１１３は、隔壁１５５から最も遠ざかる位置に退避することとなる。
【００２２】
次に、レバー部材１１２を第１スリット１５３に沿って前進させ、さらに、第２スリット１５４に沿って軸周り回転させることで、スライド部材１１０が徐々に隔壁１５５に近づき、レバー部材１１２を第２スリット１５４に沿って最大限回転させることで、突出連結領域１１３が、図４に示すように、隔壁１５５の開口部１５６から最大限突出する第２の位置が選択される。
【００２３】
図５は、本実施の形態における医療用チューブコネクタ１００の嵌合領域１５８に、注射針４００を係合させた場合を示している。ここで、横向きに開口するＵ字形状受入れ開口１５７を設けることで、医療用チューブコネクタ１００の下方に患者の腕等が存在した場合であっても、医療用チューブコネクタ１００と注射針４００とを相対的に横方向に移動させることができるため、嵌合領域１５８への注射針４００の装着または脱着を容易に実施可能としている。
【００２４】
医療用チューブコネクタ１００の嵌合領域１５８に、注射針４００を係合させた状態で、上記したように、図１に示す状態から、レバー部材１１２を第１スリット１５３に沿って前進させ、さらに、第２スリット１５４に沿って軸周り回転させることで、隔壁１５５の開口部１５６から突出連結領域１１３が突出し、この連結突出管１１３が注射針４００の胴体部４０２内に挿入されることで、液密的に注射針４００が医療用チューブコネクタ１００に連結されることとなる。
【００２５】
ここで、レバー部材１１２の第２スリット１５４での移動時には、レバー部材１１２を筐体１５０の後端部側に押し戻そうとする力が作用し、連結部１１２ａが、係合凹部溝１５４ａ，１５４ｂ，１５４ｃに押し付けられながら、円柱状摺動部材１１１を前進させることとなる。その結果、連結突出管１１３が注射針４００の胴体部４０２内に徐々に圧入されることから、注射針４００の胴体部４０２の内径に誤差が生じている場合であっても、確実に液密状態を確保できるとともに、係合凹部溝１５４ａ，１５４ｂ，１５４ｃのいずれかに、連結部１１２ａが係合することで、連結突出管１１３と注射針４００との連結状態が維持されることとなる。一方、連結状態を解除する場合には、レバー部材１１２を一旦ガイド面１５４ｄ側に押し付けた状態で、レバー部材１１２を第２スリット１５４に沿って回動させる。この時、ガイド面１５４ｄは平らな面で構成されていることから、連結部１１２ａは、ガイド面１５４ｄの沿ってスムースに移動させることが可能となる。
【００２６】
以上、本実施の形態に基づいた医療用チューブコネクタ１００によれば、スライド部材１００を嵌合領域１５８に近づく第２位置にスライド移動させることで、連結突出管１１３が注射針４００の胴体部４０２内に徐々に圧入される連結状態が選択されることから、スライド部材１００を第２位置にスライドさせるという簡易な作業により連結状態が確保できるとともに、目視により確実な連結状態を確認することが可能となる。
【００２７】
また、連結状態の確認時においても、スライド部材１００を第２位置にスライドさせることのみであるため、注射針４００が不必要に振れることがなく、たとえば、患者に不必要な痛みを与えることがない。
【００２８】
また、筐体１５０とスライド部材１１０との間には、連結突出管１１３の注射針４００の連結状態を維持させるための連結状態維持機構としての、第１スリット１５３、第２スリット１５４、および、係合凹部溝１５４ａ，１５４ｂ，１５４ｃ等が設けられていることから、確実な連結状態を確保することが可能となる。さらに、取り外しの際には、スライド部材１１０をガイド面１５４ｄの沿ってスムースに移動させた後、第２位置から第１位置にスライドさせるという簡易な作業により容易に非連結状態を実現させることができため、取り外しの際においても、患者に不必要な痛みを与えることがない。
【００２９】
（実施の形態２）
次に、図６〜図９を参照して、実施の形態２における医療用チューブコネクタ１００Ａの構造について説明する。なお、図６は、本実施の形態における医療用チューブコネクタ１００Ａの第１の状態における全体斜視図であり、図７は、本実施の形態における医療用チューブコネクタ１００Ａの第１の状態における背面図であり、図８は、本実施の形態における医療用チューブコネクタ１００Ａに採用されるスライド部材１１０Ａの側面図であり、図９は、本実施の形態における医療用チューブコネクタ１００Ａの第２の状態における全体斜視図である。
【００３０】
本実施の形態における医療用チューブコネクタ１００Ａと、上記実施の形態１における医療用チューブコネクタ１００との相違点は、スライド部材１１０Ａの形態にある。したがって、ここではスライド部材１１０Ａの構造のみ詳細に説明することとする。
【００３１】
（スライド部材１１０Ａ）
本実施の形態におけるスライド部材１１０Ａは、図８に良く示されるように、本体部１５１の内部に収容される円柱状摺動部材１１１Ａと、この円柱状摺動部材１１１Ａに対して略径方向に延びるとともに、上記第１スリット１５３および上記第２スリット１５４を通過可能なように設けられるレバー部材１１２とを備えている。
【００３２】
円柱状摺動部材１１１Ａには、嵌合領域１５８側に、注射針４００の液管路を規定する胴体部４０２と連結可能な突出連結領域１１３が設けられている。また、レバー部材１１２は、連結部１１２ａと、テーパ部１１２ｂと、円筒状のグリップ部１１２ｃを備え、連結部１１２ａが、第１スリット１５３および第２スリット１５４を通過可能なように形成されている。
【００３３】
また、本実施の形態におけるスライド部材１１０Ａによれば、円柱状摺動部材１１１Ａおよび突出連結領域１１３の部材を通過する流路１１４が形成され、円柱状摺動部材１１１Ａの後端部側に、カテーテルチューブ１８０が連結される。
【００３４】
上記構成からなる医療用チューブコネクタ１００Ａにおいても、上記実施の形態１の場合と同様に、図６に示す状態においては、レバー部材１１２が第１スリット１５３に位置し、スライド部材１１０が隔壁１５５から遠ざかる第１の位置に位置することで、突出連結領域１１３は、隔壁１５５から最も遠ざかる位置に退避することとなる。
【００３５】
また、レバー部材１１２を第１スリット１５３に沿って前進させ、さらに、第２スリット１５４に沿って軸周り回転させることで、スライド部材１１０が徐々に隔壁１５５に近づき、レバー部材１１２を第２スリット１５４に沿って最大限回転させることで、突出連結領域１１３が、図９に示すように、隔壁１５５の開口部１５６から最大限突出する第２の位置が選択される。
【００３６】
図１０は、本実施の形態における医療用チューブコネクタ１００Ａの嵌合領域１５８に、注射針４００を係合させた場合を示し、上記実施の形態１における図５の状態と同じである。
【００３７】
以上、本実施の形態に基づいた医療用チューブコネクタ１００Ａによっても、上記実施の形態２に基づいた医療用チューブコネクタ１００と同様の作用効果を得ることができる。また、円柱状摺動部材１１１Ａの後端部側に、カテーテルチューブ１８０が連結されることで、医療用チューブコネクタ１００Ａの小型化を図ることができるとともに、レバー部材１１２の移動にともなってカテーテルチューブ１８０が移動することがなく、カテーテルチューブ１８０への負荷を低減させることが可能となる。
【００３８】
したがって、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】この発明に基づいた実施の形態１における医療用チューブコネクタの第１の状態における全体斜視図である。
【図２】この発明に基づいた実施の形態１における医療用チューブコネクタの第１の状態における側面図である。
【図３】この発明に基づいた実施の形態１における医療用チューブコネクタに採用されるスライド部材の側面図である。
【図４】この発明に基づいた実施の形態１における医療用チューブコネクタの第２の状態における全体斜視図である。
【図５】この発明に基づいた実施の形態１における医療用チューブコネクタの、注射針を装着した第２の状態における全体斜視図である。
【図６】この発明に基づいた実施の形態２における医療用チューブコネクタの第１の状態における全体斜視図である。
【図７】この発明に基づいた実施の形態２における医療用チューブコネクタの第１の状態における背面図である。
【図８】この発明に基づいた実施の形態２における医療用チューブコネクタに採用されるスライド部材の側面図である。
【図９】この発明に基づいた実施の形態２における医療用チューブコネクタの第２の状態における全体斜視図である。
【図１０】この発明に基づいた実施の形態２における医療用チューブコネクタの、注射針を装着した第２の状態における全体斜視図である。
【図１１】医療用チューブコネクタの使用状態を示す模式図である。
【図１２】医療用チューブコネクタの構造を示す全体斜視図である。
【符号の説明】
【００４０】
１００，１００Ａ  医療用チューブコネクタ、１１０，１１０Ａ  スライド部材、１１１，１１１Ａ  円柱状摺動部材、１１２  レバー部材、１１２ａ  連結部、１１２ｂ  テーパ部、１１２ｃ  グリップ部、１１３  突出連結領域、１１４  流路、１５０  筐体、１５１  本体部、１５２  把持部、１５３  第１スリット、１５４  第２スリット、１５４ａ，１５４ｂ，１５４ｃ  係合凹部溝、１５４ｄ  ガイド面、１５５  隔壁、１５６  開口部、１５７  Ｕ字形状受入れ開口、１５７ａ  係合溝、１５８  嵌合領域、１５９  外れ止め用爪、１８０  カテーテルチューブ、４００  注射針、４０３  フランジ領域。
【図１】
2007275338.tif 000003
【図２】
2007275338.tif 000004
【図３】
2007275338.tif 000005
【図４】
2007275338.tif 000006
【図５】
2007275338.tif 000007
【図６】
2007275338.tif 000008
【図７】
2007275338.tif 000009
【図８】
2007275338.tif 000010
【図９】
2007275338.tif 000011
【図１０】
2007275338.tif 000012
【図１１】
2007275338.tif 000013
【図１２】
2007275338.tif 000014